【事件の表示】
　特願２０１７−　４３２３９「内視鏡装置」拒絶査定不服審判事件〔平成３０年　９月２０日出願公開、特開２０１８−１４３５９４、請求項の数（５）〕について、次のとおり審決する。
【結　論】
　原査定を取り消す。
　本願の発明は、特許すべきものとする。
【理　由】
第１　手続の経緯
　本件出願（以下「本願」と記す。）は、平成２９年３月７日の出願であって、令和２年１２月８日付けで拒絶理由が通知され、令和３年１月２５日に意見書及び手続補正書が提出され、同年６月１５日付けで拒絶査定されたところ、同年７月１９日に拒絶査定不服審判の請求がなされたものである。
第２　原査定の概要
　原査定（令和３年６月１５日付け拒絶査定）の概要は次のとおりである。
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　請求項　　　１〜３
　引用文献等　１〜３
　請求項　　　４〜５
　引用文献等　１〜４
＜引用文献等一覧＞
１.特開２００２−５８６３１号公報
２.特開２０１５−１５６９３７号公報（周知技術を示す文献）
３.特開２０１５−２０５１２６号公報（周知技術を示す文献）
４.特開２０１５−１２９５８号公報（周知技術を示す文献）
第３　本願発明
　本願請求項１ないし５に係る発明（以下それぞれ「本願発明１」ないし「本願発明５」という。）は、令和３年１月２５日提出の手続補正書により手続補正された特許請求の範囲の請求項１ないし５に記載された事項により特定される発明であり、本願発明１は以下のとおりである。
「【請求項１】
　被検体内に挿入される内視鏡の接眼部に着脱自在に接続され、当該内視鏡にて取り込まれた当該被検体内部の被写体像を撮像する撮像素子を有し、当該撮像素子による撮像で得られた画像信号を出力する撮像装置と、
　前記画像信号を処理して表示用の映像信号を生成する制御装置と、
　前記撮像装置から前記制御装置に前記画像信号を伝送する信号伝送路とを備え、
　前記撮像装置は、
　前記撮像素子における全画素領域のうち、当該全画素領域よりも小さく、前記被写体像全体を含む指定画素領域における各画素の画素信号を前記画像信号として出力し、
　前記制御装置は、
　前記画像信号に基づく撮像画像における画素毎の輝度信号に基づいて、当該撮像画像に含まれる前記被写体像と当該被写体像以外のマスク領域との境界点を検出するマスクエッジ検出処理を実行するエッジ検出部と、
　前記撮像装置の動作を制御する撮像制御部とを備え、
　前記撮像制御部は、
　前記撮像画像における前記エッジ検出部にて検出された境界点で囲まれる被写体像の領域に基づいて、前記指定画素領域を設定し、当該指定画素領域における各画素の画素信号を前記画像信号として前記撮像装置から出力させる
　ことを特徴とする内視鏡装置。」
　なお、本願発明２ないし５は、本願発明１を引用する発明である。
第４　引用文献、引用発明等
１．引用文献１について
　原査定の拒絶の理由に引用文献１として引用された、本願の出願前である平成１４年２月２６日に頒布された刊行物である特開２００２−５８６３１号公報（以下「引用文献１」という。）には、図面とともに以下の技術事項が記載されている。（下線は当審が付与した。以下同じ。）
（１）「【０００１】
【発明の属する技術分野】本発明は撮像方法および装置に関し、より詳しくは
蛍光を発生する被写体の蛍光像および微弱な光で照明された被写体の反射光像等を撮像する撮像
（２）「【０００８】本発明は、上記の事情に鑑みてなされたものであり、
ダークノイズを減少させることにより被写体の光像をＳ／Ｎの高い画像として撮像することができる
（３）「【００６３】
【発明の実施の形態】以下、本発明の具体的な実施の形態について図面を用いて説明する。図１は、本発明の撮像方法を実施する撮像装置を
蛍光内視鏡装置に適用した
【００６４】
蛍光内視鏡装置８００は、波長４１０ｎｍの励起光Ｌｅを射出する光源ユニット１００、光源ユニット１００から射出された励起光を照射光ファイバ２１を通して生体組織１に照射し、この励起光Ｌｅの照射を受けた生体組織１から発生した蛍光による生体組織１の蛍光像をイメージファイバ２２の入射端面２２ａから射出端面２２ｂまで伝搬する内視鏡ユニット２００、イメージファイバ２２の射出端面２２ｂに伝搬された蛍光像を撮像し映像信号に変換して出力する蛍光像撮像ユニット３００および蛍光像撮像ユニット３００から出力された映像信号を入力し画像として表示する表示器４００から構成されている。
（４）「【００６６】
内視鏡ユニット２００は、照射光ファイバ２１によって伝搬された白色光Ｌｗおよび励起光Ｌｅを生体組織１に照射することにより生じた生体組織１の像が入射する先端部２０１、および光源ユニット１００と蛍光像撮像ユニット３００とが接続された操作部２０２とから構成されており
（５）「【００６８】
蛍光像撮像ユニット３００には、イメージファイバの射出端面２２ｂが接続されており、射出端面２２ｂに伝搬された蛍光像Ｚｋは、射出端面２２ｂに伝搬された像を縮小して結像させる結像レンズ３２を通して、２５万画素のフロント露光型ＣＣＤ撮像素子である蛍光像撮像素子３３の受光領域３３ａ中に結像される。受光領域３３ａ中に結像された蛍光像Ｚｋは蛍光像撮像素子３３によって撮像され電気的な画像信号に変換されて出力される。蛍光像撮像素子３３から出力された画像信号は画像信号抽出回路３５に入力され、予め受光領域３３ａ中に定められた蛍光像Ｚｋの結像領域を含む画像読出領域に含まれる画素から得られる画像信号のみが抽出され出力されて、さらに映像信号処理回路３４ａによって映像信号に変換され出力される。一方、通常像撮像素子２５から出力されケーブル２８によって伝送された画像信号は映像信号処理回路３４ｂに入力され映像信号に変換されて出力される。
（６）「【図１】
」
（７）「【図２】
」
　上記引用文献１の記載事項及び図面を総合勘案すると、引用文献１には、次の発明（以下「引用発明１」という。）が記載されていると認められる。
「ダークノイズを減少させることにより被写体の光像をＳ／Ｎの高い画像として撮像することができる蛍光を発生する被写体の蛍光像および微弱な光で照明された被写体の反射光像等を撮像する撮像装置を、蛍光内視鏡装置８００に適用した装置において、
　蛍光内視鏡装置８００は、波長４１０ｎｍの励起光Ｌｅを射出する光源ユニット１００、光源ユニット１００から射出された励起光を照射光ファイバ２１を通して生体組織１に照射し、この励起光Ｌｅの照射を受けた生体組織１から発生した蛍光による生体組織１の蛍光像をイメージファイバ２２の入射端面２２ａから射出端面２２ｂまで伝搬する内視鏡ユニット２００、イメージファイバ２２の射出端面２２ｂに伝搬された蛍光像を撮像し映像信号に変換して出力する蛍光像撮像ユニット３００および蛍光像撮像ユニット３００から出力された映像信号を入力し画像として表示する表示器４００から構成されており、
　内視鏡ユニット２００は、照射光ファイバ２１によって伝搬された白色光Ｌｗおよび励起光Ｌｅを生体組織１に照射することにより生じた生体組織１の像が入射する先端部２０１、および光源ユニット１００と蛍光像撮像ユニット３００とが接続された操作部２０２とから構成されており、
　蛍光像撮像ユニット３００には、イメージファイバの射出端面２２ｂが接続されており、射出端面２２ｂに伝搬された蛍光像Ｚｋは、射出端面２２ｂに伝搬された像を縮小して結像させる結像レンズ３２を通して、２５万画素のフロント露光型ＣＣＤ撮像素子である蛍光像撮像素子３３の受光領域３３ａ中に結像され、受光領域３３ａ中に結像された蛍光像Ｚｋは蛍光像撮像素子３３によって撮像され電気的な画像信号に変換されて出力され、蛍光像撮像素子３３から出力された画像信号は画像信号抽出回路３５に入力され、予め受光領域３３ａ中に定められた蛍光像Ｚｋの結像領域を含む画像読出領域に含まれる画素から得られる画像信号のみが抽出され出力されて、さらに映像信号処理回路３４ａによって映像信号に変換され出力され、一方、通常像撮像素子２５から出力されケーブル２８によって伝送された画像信号は映像信号処理回路３４ｂに入力され映像信号に変換されて出力される、
装置。」
２．引用文献２について
　原査定の拒絶の理由に引用文献２として引用された、本願の出願前である平成２７年９月３日に頒布された刊行物である特開２０１５−１５６９３７号公報（以下「引用文献２」という。）には、図面とともに以下の技術事項が記載されている。
（１）「【０００１】
　本技術は、画像処理装置、画像処理方法、並びにプログラムに関する。詳しくは、
内視鏡のマスクを正確に検出することができる画像処理装置
（２）「【００３１】
 ＜第１の実施の形態における画像処理装置の構成＞
　以下に説明する画像処理装置は、例えば、
内視鏡などから得られる画像を処理する画像処理装置
【００３２】
　図１は、第１の実施の形態における画像処理装置の構成について説明するための図である。図１に示した
画像処理装置１００は、図示していない医療機器としての内視鏡装置からの画像データを取得し、処理し、処理した画像をモニタなどの表示部１０１に出力する。
【００３３】
　
画像処理装置１００は、画像取得部１１１、第１演算部１１２、および第２演算部１１３を備える。
【００３４】
　
画像処理装置１００の画像取得部１１１は、図示していない内視鏡装置からの画像を取得する。
【００３５】
　
画像取得部１１１で取得された画像データは、第１演算部１１２に供給される。第１演算部１１２の輝度画像変換部１２１は、取得された画像データを輝度画像の画像データに変換し、エッジ検出部１２２に供給する。
【００３６】
　
エッジ検出部１２２は、供給された画像データに基づく輝度画像を用いて、エッジ部分を検出する。
【００３７】
　画像の有効領域１５１の周りは、マスク領域１５２とされ、例えば、図２に示したように黒く塗られた領域とされる。
エッジは、画像の有効領域１５１とマスク領域１５２の境目であり、そのような境目をエッジ検出部１２２は検出する。
【００３８】
　内視鏡で得られる画像は、画像の左右上下方向には、生体内映像が映らない領域がある。これは、内視鏡でケラレが発生し、撮像手段に光が入ってこない領域があるからである。
この生体内映像が映らない領域がマスク領域１５２に該当し、生体内映像が映る領域が、有効領域１５１に該当する。
」
（３）「【図１】
」
　上記引用文献２の記載事項及び図面を総合勘案すると、引用文献２には、次の発明（以下「引用発明２」という。）が記載されていると認められる。
「内視鏡から得られる画像を処理し、内視鏡のマスクを正確に検出することができる画像処理装置１００において、
　画像処理装置１００は、医療機器としての内視鏡装置からの画像データを取得し、処理し、処理した画像をモニタなどの表示部１０１に出力するものであり、
　画像処理装置１００は、画像取得部１１１、第１演算部１１２、および第２演算部１１３を備え、
　画像処理装置１００の画像取得部１１１は、内視鏡装置からの画像を取得し、画像取得部１１１で取得された画像データは、第１演算部１１２に供給され、第１演算部１１２の輝度画像変換部１２１は、取得された画像データを輝度画像の画像データに変換し、エッジ検出部１２２に供給し、エッジ検出部１２２は、供給された画像データに基づく輝度画像を用いて、画像の有効領域１５１とマスク領域１５２の境目であるエッジ部分を検出し、
　生体内映像が映らない領域がマスク領域１５２に該当し、生体内映像が映る領域が、有効領域１５１に該当する、
　画像処理装置。」
３．引用文献３について
　原査定の拒絶の理由に引用文献３として引用された、本願の出願前である平成２７年１１月１９日に頒布された刊行物である特開２０１５−２０５１２６号公報（以下「引用文献３」という。）には、図面とともに以下の技術事項が記載されている。
（１）「【０００１】
　本発明は、観察光学系及び固体撮像素子を有する内視鏡装置、及びこの
内視鏡装置で得られた画像に画像処理を施してモニタに出力する画像処理装置
（２）「【００２３】
　［内視鏡装置の全体構成］
　図１は、本発明に係る内視鏡装置（内視鏡システムともいう）１０の外観斜視図である。
内視鏡装置１０は
電子内視鏡１１、光源装置１２、プロセッサ装置１３、及びモニタ１４などを備えている。
【００２４】
　光源装置１２は、観察部位を照明する照明光を電子内視鏡１１へ供給する。
プロセッサ装置１３は、
電子内視鏡１１により得られた撮像信号に基づいてモニタ１４に表示する表示用画像の画像データ（以下、表示用画像データという）を生成してモニタ１４に出力する。
（３）「【００３１】
　
電子内視鏡１１は、大別して、ライトガイド４０、照明窓４２、観察窓４３、観察光学系４４、固体撮像素子４５、内視鏡ＣＰＵ４７、ＲＯＭ４８、及び内視鏡記憶部４９を有している。
（４）「【００３７】
　また、
内視鏡ＣＰＵ４７は、プロセッサ装置１３のプロセッサＣＰＵ６１と通信を行って、ＲＯＭ４８や内視鏡記憶部４９に記憶されている情報を、プロセッサ装置１３に送信する。
【００３８】
　内視鏡記憶部４９は、本発明の記憶部の一形態に相当するものである。
内視鏡記憶部４９には、プロセッサ装置１３に送信される情報として、詳しくは後述する画像切り出し情報５１及び倍率情報５３が電子内視鏡１１の製造時に予め記憶されている。
（５）「【００３９】
　
プロセッサ装置１３は、プロセッサＣＰＵ６１、ＲＯＭ６２、デジタル信号処理回路（ＤＳＰ：Digital Signal Processor）６３、プロセッサ記憶部６４、画像処理部６５、及び表示ドライバ６６を有している。
【００４０】
　プロセッサＣＰＵ６１は、ＲＯＭ６２から必要なプログラムやデータを読み出して逐次処理することで、プロセッサ装置１３の各部を制御する。また、
プロセッサＣＰＵ６１は、内視鏡ＣＰＵ４７から送信された識別情報をＤＳＰ６３に出力すると共に、画像切り出し情報５１及び倍率情報５３を画像処理部６５に出力する。
（６）「【００４３】
　
画像処理部６５は、プロセッサＣＰＵ６１の制御の下、プロセッサ記憶部６４から取得した画像切り出し情報５１及び倍率情報５３に基づき、ＤＳＰ６３から入力される画像データに対して画像切り出し処理、画像拡大処理、マスク処理を施すことで、表示用画像データを生成する。そして、画像処理部６５は、表示用画像データを表示ドライバ６６に出力する。
【００４４】
　
表示ドライバ６６は、画像処理部６５から入力される表示用画像データに基づき、モニタ１４に観察部位の観察像を表示させる。
（７）「【００５５】
　図５は、現実状態における画像切り出し領域ＴＲ、及び画像切り出し情報５１を説明するための説明図である。図５に示すように、画像切り出し領域ＴＲは、ＤＳＰ６３から入力される画像データ７１に基づく画像内で、結像エリア中心ＣＫを基準として表示エリア１７０と同じアスペクト比を有する最大の領域である。なお、本実施形態の表示エリア１７０は円形状であるので、ここでいう「同じアスペクト比を有する領域」とは例えば正方形状の領域である。
【００５６】
　ここで、画像切り出し領域ＴＲの中心に対応する位置、すなわち画像データ７１に基づく画像内での結像エリア中心ＣＫ（観察光学系４４の光軸）に対応する位置は、例えば、電子内視鏡１１で同心円状のパターンなどの各種テストチャートの撮像を行い、この撮像により得られた画像データを解析することで求められる。また、表示エリア１７０の形状及び大きさは既知である。従って、結像エリア中心ＣＫの位置と、表示エリア１７０の形状及び大きさとに基づき、画像切り出し領域ＴＲを決定することができる。この画像切り出し領域ＴＲの位置及び大きさ等を示す情報が、画像切り出し情報５１として電子内視鏡１１の製造時に予め求められ、内視鏡記憶部４９に記憶されている。これにより、
画像切り出し情報５１に基づき、画像データ７１から画像切り出し領域ＴＲに対応する表示用画像データ７３を切り出す
（８）「【図２】
」
　上記引用文献３の記載事項及び図面を総合勘案すると、引用文献３には、次の発明（以下「引用発明３」という。）が記載されていると認められる。
「内視鏡装置１０は、電子内視鏡１１、光源装置１２、プロセッサ装置１３、及びモニタ１４などを備え、
　プロセッサ装置１３は、電子内視鏡１１により得られた撮像信号に基づいてモニタ１４に表示する表示用画像の画像データ（以下、表示用画像データという）を画像処理を施して生成してモニタ１４に出力し、
　電子内視鏡１１は、大別して、ライトガイド４０、照明窓４２、観察窓４３、観察光学系４４、固体撮像素子４５、内視鏡ＣＰＵ４７、ＲＯＭ４８、及び内視鏡記憶部４９を有し、
　内視鏡記憶部４９には、プロセッサ装置１３に送信される情報として、画像切り出し情報５１及び倍率情報５３が電子内視鏡１１の製造時に予め記憶されており、
　内視鏡ＣＰＵ４７は、プロセッサ装置１３のプロセッサＣＰＵ６１と通信を行って、ＲＯＭ４８や内視鏡記憶部４９に記憶されている情報を、プロセッサ装置１３に送信し、
　プロセッサ装置１３は、プロセッサＣＰＵ６１、ＲＯＭ６２、デジタル信号処理回路（ＤＳＰ：Digital Signal Processor）６３、プロセッサ記憶部６４、画像処理部６５、及び表示ドライバ６６を有し、
　プロセッサＣＰＵ６１は、内視鏡ＣＰＵ４７から送信された識別情報をＤＳＰ６３に出力すると共に、画像切り出し情報５１及び倍率情報５３を画像処理部６５に出力し、
　画像処理部６５は、プロセッサＣＰＵ６１の制御の下、プロセッサ記憶部６４から取得した画像切り出し情報５１及び倍率情報５３に基づき、ＤＳＰ６３から入力される画像データに対して画像切り出し情報５１に基づき、画像データ７１から画像切り出し領域ＴＲに対応する表示用画像データ７３を切り出し、画像拡大処理、マスク処理を施すことで、表示用画像データを生成し、表示用画像データを表示ドライバ６６に出力し、
　表示ドライバ６６は、画像処理部６５から入力される表示用画像データに基づき、モニタ１４に観察部位の観察像を表示させる、
内視鏡装置１０。」
４．引用文献４について
　原査定の拒絶の理由に引用文献４として引用された、本願の出願前である平成２７年１月２２日に頒布された刊行物である特開２０１５−１２９５８号公報（以下「引用文献４」という。）には、図面とともに以下の技術事項が記載されている。
（１）「【０００１】
　本発明は複数種類のテレビジョン信号規格の
内視鏡画像を記録する内視鏡画像記録装置
（２）「【０００９】
　以下、図面を参照して本発明の実施形態を説明する。  
（第１の実施形態）
　図１に示す
内視鏡システム１は、本発明の第１の実施形態の内視鏡画像記録装置２と、この内視鏡画像記録装置２に各種の映像信号を出力する内視鏡装置３Ａ、３Ｂ、３Ｃと、この内視鏡画像記録装置２から出力される映像信号を表示する標準テレビジョン（ＳＤ）信号規格のモニタ（ＳＤモニタと略記）４Ａと、高精細テレビジョン（ＨＤと略記）信号規格のモニタ（ＨＤモニタと略記）４Ｂと、を備える。
　また、内視鏡画像記録装置２は、この内視鏡画像記録装置２の内部に設けた記録装置としてのデータ記録部４８（図２参照）の他に、内部の記録装置に記録した内視鏡画像の映像信号を外部の記録媒体又は記録装置に記録可能にしている。
　具体的には、内視鏡画像記録装置２の前面には、ＤＶＤ、ブルーレイディスク（ＢＤと略記）等の光ディスク５ａ、ＵＳＢ接続のハードディスク（ＨＤＤと略記）等により構成される、ＵＳＢストレージ装置５ｂ、ネットワークストレージ装置（ＮＡＳと略記）５ｃをそれぞれ接続するための光ディスク装着スロット６ａ、ＵＳＢ接続スロット６ｂ、ネットワーク接続スロット６ｃが設けてある。」
（３）「【００１６】
　図１に示す例では、例えば実線で示すように内視鏡装置３Ａの信号処理回路２８Ａにより生成されたＳＤの映像信号が内視鏡画像記録装置２に入力される状態で示している。なお、以下に説明するように複数の映像信号を内視鏡画像記録装置２に入力できる状態にして、複数の映像信号から実際に記録する１つの映像信号を選択することもできる。図２は、内視鏡画像記録装置２の内部構成を示す。
　図２に示すように
内視鏡画像記録装置２は、内視鏡画像記録装置２における各種の制御を行う制御手段としてのＣＰＵ等から構成される制御部４０と、外部から複数種類のテレビジョン信号規格の映像信号を入力可能とする複数の映像信号入力端子（映像入力コネクタ）４１ａ，４１ｂ，４１ｃ，４１ｄと、複数の映像信号入力端子４１ａ〜４１ｄから１つの映像信号入力端子４１ｊ（ｊ＝ａ〜ｄのいずれか）の映像信号を術者等のユーザが選択する映像信号選択部（又は映像信号選択回路）４２とを有する。
（４）「【００２０】
　また、ユーザから映像信号の変換を行わない選択がされた場合には、制御部４０は、入力信号を（Ｕｐコンバート処理、Ｄｏｗｎコンバート処理を行う事無く）スルーさせて映像信号変換部４４から出力するように制御する。
　なお、ＳＤの映像信号を表示する場合の画素数サイズと、ＨＤの映像信号を表示する場合の画素数サイズは、たとえばNTSC信号の場合には図３に示すようになっている。ＳＤの場合には、水平方向（横方向）及び垂直方向（縦方向）の画素数は、それぞれ７２０，４８０（PAL信号の場合には７２０、５７６）であり、横:縦の画素数比としてのアスペクト比は４：３になる。これに対してＨＤの場合には、水平方向（横方向）及び垂直方向（縦方向）の画素数は、それぞれ１９２０，１０８０であり、アスペクト比は１６：９となる。
　このように
ＳＤの場合とＨＤの場合とで
一方の映像信号の全体を欠落させることなく他方の映像信号に（解像度を上げたり、下げたりして）変換した場合には、縦（上下）又は横（左右）に無信号部分としての黒画像（又は黒帯）を付加して
【００２１】
　なお、本明細書においては、黒画像と黒帯とは同じ意味で用いる。換言すると、本明細書においては、黒画像は内視鏡画像の上下の端、又は左右の端の黒帯形状の無信号又は黒レベルの画像部分を指す。
　上記Ｕｐコンバート処理回路４４ａは、ＳＤの映像信号をＨＤの映像信号に解像度を上げて変換した場合には、図４（Ａ）に示すように左右両側にピラーボックスと呼ばれる２４０画素分の黒帯を付加する。なお、図４その他の図面中においては、黒帯部分を斜線で示す。
　また、上記Ｄｏｗｎコンバート処理回路４４ｂは、ＨＤの映像信号をＳＤの映像信号に解像度をさげて変換した場合には、図４（Ｂ）に示すように上下両側にレターボックスと呼ばれる８０画素分の黒帯を付加する。
　また、内視鏡画像記録装置２は、映像信号変換部４４から出力される映像信号に対して黒画像を含まない映像信号を生成する黒画像処理手段としての黒画像処理部４５を有する。」
（５）「【図１】
」
（６）「【図２】
」
　上記引用文献４の記載事項及び図面を総合勘案すると、引用文献４には、次の発明（以下「引用発明４」という。）が記載されていると認められる。
「内視鏡システム１において、
　内視鏡システム１は、内視鏡画像記録装置２と、この内視鏡画像記録装置２に各種の映像信号を出力する内視鏡装置３Ａ、３Ｂ、３Ｃと、この内視鏡画像記録装置２から出力される映像信号を表示する標準テレビジョン（ＳＤ）信号規格のモニタ（ＳＤモニタと略記）４Ａと、高精細テレビジョン（ＨＤと略記）信号規格のモニタ（ＨＤモニタと略記）４Ｂと、を備え、
　内視鏡画像記録装置２は、内視鏡画像記録装置２における各種の制御を行う制御手段としてのＣＰＵ等から構成される制御部４０と、外部から複数種類のテレビジョン信号規格の映像信号を入力可能とする複数の映像信号入力端子（映像入力コネクタ）４１ａ，４１ｂ，４１ｃ，４１ｄと、複数の映像信号入力端子４１ａ〜４１ｄから１つの映像信号入力端子４１ｊ（ｊ＝ａ〜ｄのいずれか）の映像信号を術者等のユーザが選択する映像信号選択部（又は映像信号選択回路）４２とを有し、
　ＳＤの場合とＨＤの場合とで一方の映像信号の全体を欠落させることなく他方の映像信号に（解像度を上げたり、下げたりして）変換した場合には、縦（上下）又は横（左右）に無信号部分としての黒画像（又は黒帯）を付加する、
内視鏡システム。」
５．特開２０１７−３４６５６号公報について
　当審にて新たに発見した、本願の出願前である平成２９年２月９日に頒布された刊行物である特開２０１７−３４６５６号公報（以下「引用文献５」という。）には、図面とともに以下の技術事項が記載されている。
（１）「【０００１】
　本発明は、医療用撮像装置、医療用画像取得システム及び
内視鏡装置
（２）「【００２２】
（実施の形態１）
　図１は、本発明の実施の形態１にかかる内視鏡装置１の概略構成を示す図である。
内視鏡装置１は、医療分野において用いられ、人等の観察対象物の内部（生体内）の被写体を観察する装置である。この内視鏡装置１は、図１に示すように、内視鏡２と、撮像装置３（医療用撮像装置）と、表示装置４と、制御装置５（画像処理装置）と、光源装置６とを備え
【００２３】
　光源装置６は、ライトガイド７の一端が内視鏡２に接続され、当該ライトガイド７の一端に生体内を照明するための白色の照明光を供給する。ライトガイド７は、一端が光源装置６に着脱自在に接続されるとともに、他端が内視鏡２に着脱自在に接続される。そして、ライトガイド７は、光源装置６から供給された光を一端から他端に伝達し、内視鏡２に供給する。
【００２４】
　撮像装置３は、内視鏡２からの被写体像を撮像して当該撮像結果を出力する。
この撮像装置３は、図１に示すように、信号伝送部である伝送ケーブル８と、カメラヘッド９とを備える。
【００２５】
　内視鏡２は、硬質で細長形状を有し、生体内に挿入される。この内視鏡２の内部には、１または複数のレンズを用いて構成され、被写体像を集光する光学系が設けられている。内視鏡２は、ライトガイド７を介して供給された光を先端から出射し、生体内に照射する。そして、生体内に照射された光（被写体像）は、内視鏡２内の光学系（レンズユニット９１）により集光される。
【００２６】
　
カメラヘッド９は、内視鏡２の基端に着脱自在に接続される。そして、カメラヘッド９は、制御装置５による制御の下、内視鏡２にて集光された被写体像を撮像し、当該撮像による撮像信号を出力する。
【００２７】
　伝送ケーブル８は、一端がコネクタを介して制御装置５に着脱自在に接続されるとともに、他端がコネクタを介してカメラヘッド９に着脱自在に接続される。具体的に、伝送ケーブル８は、最外層である外被の内側に複数の電気配線（図示略）が配設されたケーブルである。当該複数の電気配線は、カメラヘッド９から出力される撮像信号、制御装置５から出力される制御信号、同期信号、クロック、及び電力をカメラヘッド９にそれぞれ伝送するための電気配線である。
【００２８】
　表示装置４は、制御装置５による制御のもと、制御装置５により生成された画像を表示する。表示装置４は、観察時の没入感を得やすくするために、表示部が５５インチ以上を
有するものが好ましいが、これに限らない。
【００２９】
　
制御装置５は、カメラヘッド９から伝送ケーブル８を経由して入力された撮像信号を処理し、表示装置４へ画像信号を出力するとともに、カメラヘッド９及び表示装置４の動作を統括的に制御する。
（３）「【００３０】
　次に、撮像装置３及び制御装置５の構成について説明する。図２は、カメラヘッド９及び制御装置５の構成を示すブロック図である。なお、図２では、カメラヘッド９及び伝送ケーブル８同士を着脱可能とするコネクタの図示を省略している。
【００３１】
　以下、制御装置５の構成、及びカメラヘッド９の構成の順に説明する。なお、以下では、制御装置５の構成として、本発明の要部を主に説明する。制御装置５は、図２に示すように、信号処理部５１と、画像生成部５２と、通信モジュール５３と、入力部５４と、制御部５５と、メモリ５６とを備える。なお、制御装置５には、制御装置５及びカメラヘッド９を駆動するための電源電圧を生成し、制御装置５の各部にそれぞれ供給するとともに、伝送ケーブル８を介してカメラヘッド９に供給する電源部（図示略）などが設けられていてもよい。」
（４）「【００４１】
　次に、カメラヘッド９の構成として、本発明の要部を主に説明する。
カメラヘッド９は、図２に示すように、レンズユニット９１と、撮像部９２と、駆動部９３と、通信モジュール９４と、カメラヘッド制御部９５とを備える。
【００４２】
　レンズユニット９１は、１または複数のレンズを用いて構成され、内視鏡２にて集光された被写体像を、
撮像部９２を構成する撮像素子
（５）「【図１】
」
（６）「【図２】
」
　上記引用文献５の記載事項及び図面を総合勘案すると、引用文献５には、次の発明（以下「引用発明５」という。）が記載されていると認められる。
「医療分野において用いられ、人等の観察対象物の内部（生体内）の被写体を観察する内視鏡装置１において、
　内視鏡装置１は、内視鏡２と、撮像装置３（医療用撮像装置）と、表示装置４と、制御装置５（画像処理装置）と、光源装置６とを備え
　撮像装置３は、信号伝送部である伝送ケーブル８と、カメラヘッド９とを備え、
　カメラヘッド９は、レンズユニット９１と、撮像部９２と、駆動部９３と、通信モジュール９４と、カメラヘッド制御部９５とを備え、
　カメラヘッド９は、内視鏡２の基端に着脱自在に接続され、制御装置５による制御の下、内視鏡２にて集光された被写体像を撮像部９２を構成する撮像素子で撮像し、当該撮像による撮像信号を出力し、
　制御装置５は、カメラヘッド９から伝送ケーブル８を経由して入力された撮像信号を処理し、表示装置４へ画像信号を出力するとともに、カメラヘッド９及び表示装置４の動作を統括的に制御する、
　内視鏡装置１。」
第５　対比・判断
１．引用発明１との対比・判断
（１）対比
　本願発明１を、引用発明１と比較する。
　ア　引用発明１の「光源ユニット１００から射出された励起光を照射光ファイバ２１を通して生体組織１に照射し、この励起光Ｌｅの照射を受けた生体組織１から発生した蛍光による生体組織１の蛍光像をイメージファイバ２２の入射端面２２ａから射出端面２２ｂまで伝搬する内視鏡ユニット２００」は、本願発明１の「被検体内に挿入される内視鏡」に相当する。
　イ　引用発明１の「内視鏡ユニット２００」で測定された「イメージファイバ２２の射出端面２２ｂに伝搬された蛍光像」は、本願発明１の「内視鏡にて取り込まれた被検体内部の被写体像」に相当する。
　ウ　引用発明１では「イメージファイバ２２の射出端面２２ｂに伝搬された蛍光像を撮像し映像信号に変換して出力する蛍光像撮像ユニット３００」において「射出端面２２ｂに伝搬された蛍光像Ｚｋは、射出端面２２ｂに伝搬された像を縮小して結像させる結像レンズ３２を通して、２５万画素のフロント露光型ＣＣＤ撮像素子である蛍光像撮像素子３３の受光領域３３ａ中に結像され、受光領域３３ａ中に結像された蛍光像Ｚｋは蛍光像撮像素子３３によって撮像され電気的な画像信号に変換されて出力され」ることから、引用発明１の「蛍光像撮像素子３３」は本願発明１の「当該内視鏡にて取り込まれた当該被検体内部の被写体像を撮像する撮像素子」に相当し、引用発明１の「蛍光像撮像素子３３によって撮像され電気的な画像信号に変換されて出力され」ることは、本願発明１の「当該撮像素子による撮像で得られた画像信号を出力する」ことに相当する。
　エ　引用発明１の「内視鏡ユニット２００」の「イメージファイバの射出端面２２ｂが接続」され「射出端面２２ｂに伝搬された蛍光像Ｚｋは、射出端面２２ｂに伝搬された像を縮小して結像させる結像レンズ３２を通して、２５万画素のフロント露光型ＣＣＤ撮像素子である蛍光像撮像素子３３の受光領域３３ａ中に結像され、受光領域３３ａ中に結像された蛍光像Ｚｋは蛍光像撮像素子３３によって撮像され電気的な画像信号に変換されて出力され」る「蛍光像撮像ユニット３００」は、本願発明１の「被検体内に挿入される内視鏡」「にて取り込まれた当該被検体内部の被写体像を撮像する撮像素子を有し、当該撮像素子による撮像で得られた画像信号を出力する撮像装置」に相当する。
　オ　引用発明１の「蛍光像撮像ユニット３００」における「蛍光像撮像素子３３から出力された画像信号は画像信号抽出回路３５に入力され、予め受光領域３３ａ中に定められた蛍光像Ｚｋの結像領域を含む画像読出領域に含まれる画素から得られる画像信号のみが抽出され出力され」ることは、本願発明１の「撮像装置」が「前記撮像素子における全画素領域のうち、当該全画素領域よりも小さく、前記被写体像全体を含む指定画素領域における各画素の画素信号を前記画像信号として出力」することに相当する。
　カ　引用発明１の「蛍光像撮像ユニット３００」の「映像信号処理回路３４ａ」は、「蛍光像撮像素子３３から出力された画像信号は画像信号抽出回路３５に入力され、予め受光領域３３ａ中に定められた蛍光像Ｚｋの結像領域を含む画像読出領域に含まれる画素から得られる画像信号のみが抽出され出力され」た画像信号を「映像信号に変換」して「出力」するものであるから、本願発明１の「前記画像信号を処理して表示用の映像信号を生成する制御装置」に相当する。
　キ　引用発明１の「蛍光像撮像ユニット３００」は、本願発明１の「撮像装置」と「制御装置」の両方の装置を兼ねていることから、本願発明１の「前記撮像装置から前記制御装置に前記画像信号を伝送する信号伝送路」を備えていると認められる。
　すると、本願発明１と、引用発明１とは、次の点で一致する。
＜一致点＞
「被検体内に挿入される内視鏡にて取り込まれた当該被検体内部の被写体像を撮像する撮像素子を有し、当該撮像素子による撮像で得られた画像信号を出力する撮像装置と、
　前記画像信号を処理して表示用の映像信号を生成する制御装置と、
　前記撮像装置から前記制御装置に前記画像信号を伝送する信号伝送路とを備え、
　前記撮像装置は、
　前記撮像素子における全画素領域のうち、当該全画素領域よりも小さく、前記被写体像全体を含む指定画素領域における各画素の画素信号を前記画像信号として出力する、
内視鏡装置。」
　一方で、両者は、次の点で相違する。
＜相違点１＞
　撮像装置が、本願発明１では「内視鏡の接眼部に着脱自在に接続され」ているのに対し、引用発明１では「蛍光像撮像ユニット３００」が「内視鏡ユニット２００」の「イメージファイバ２２の射出端面２２ｂ」に接続されている点。
＜相違点２＞
　制御装置が、本願発明１では、
「前記画像信号に基づく撮像画像における画素毎の輝度信号に基づいて、当該撮像画像に含まれる前記被写体像と当該被写体像以外のマスク領域との境界点を検出するマスクエッジ検出処理を実行するエッジ検出部と、
　前記撮像装置の動作を制御する撮像制御部とを備え、
　前記撮像制御部は、
　前記撮像画像における前記エッジ検出部にて検出された境界点で囲まれる被写体像の領域に基づいて、前記指定画素領域を設定し、当該指定画素領域における各画素の画素信号を前記画像信号として前記撮像装置から出力させる」
のに対し、引用発明１の「蛍光像撮像ユニット３００」は上記構成を備えていない点。
（２）判断
　上記「（１）」で記載した各相違点につき、判断する。
　ア　相違点１について
　引用発明５は、内視鏡装置１において、内視鏡２の基端にカメラヘッド９を着脱自在に接続する技術を備えている。上記技術を、引用発明１の内視鏡ユニット２００と蛍光像撮像ユニット３００の接続部分に適用して、上記相違点１に係る構成とすることは、当業者ならば容易になしえたことである。
　イ　相違点２について
（ア）引用発明２は、内視鏡の画像を処理する画像処理装置において、供給された画像データに基づく輝度画像を用いて、画像の有効領域１５１とマスク領域１５２の境目であるエッジ部分を検出するエッジ検出部１２２を備えている。このエッジ検出部１２２は、本願発明１の「前記画像信号に基づく撮像画像における画素毎の輝度信号に基づいて、当該撮像画像に含まれる前記被写体像と当該被写体像以外のマスク領域との境界点を検出するマスクエッジ検出処理を実行するエッジ検出部」に相当する。
（イ）引用発明３は、内視鏡装置１０において、電子内視鏡１１により得られた撮像信号を、プロセッサ装置１３の画像処理部６５において、内視鏡記憶部４９に記憶されている製造時に記憶された画像切り出し情報５１をもとに、画像処理を行い、表示用画像データ７３を切り出す技術を備えている。
（ウ）引用発明４は、内視鏡システム１において、内視鏡画像記録装置２に内視鏡画像記録装置２における各種の制御を行う制御手段としてのＣＰＵ等から構成される制御部４０を備え、標準テレビジョン（ＳＤ）信号規格の場合と、高精細テレビジョン（ＨＤと略記）信号規格の場合とで一方の映像信号の全体を欠落させることなく他方の映像信号に（解像度を上げたり、下げたりして）変換した場合には、縦（上下）又は横（左右）に無信号部分としての黒画像（又は黒帯）を付加する技術を備えている。
（エ）しかしながら、引用発明２ないし４には「制御装置」が「前記撮像装置の動作を制御する撮像制御部」を備え、その「撮像制御部」が「撮像画像における」「エッジ検出部にて検出された境界点で囲まれる被写体像の領域に基づいて、」「指定画素領域を設定し、当該指定画素領域における各画素の画素信号を」「画像信号として」「撮像装置から出力させる」技術は開示されていない。
（オ）上記「（エ）」の点は、引用発明５にも開示されていない。
（カ）また、引用発明１に、引用発明２のエッジ検出部（上記（ア）参照。）を適用し、さらに引用発明３の表示用画像データを切り出す技術（上記（イ）参照。）を適用したとしても、表示用画像データは、内視鏡記憶部４９に記憶されている製造時に記憶された画像切り出し情報５１をもとに切り出される（指定画素領域を設定し、当該指定画素領域における各画素の画素信号を画像信号として出力される）こととなり、エッジ検出部にて検出された境界点で囲まれる被写体像の領域に基づいて、指定画素領域を設定し、当該指定画素領域における各画素の画素信号を画像信号として撮像装置から出力される構成とはならない。
（キ）以上のことから、上記相違点２に係る発明特定事項を引用発明１ないし５から当業者が導き出すことはできない。
　
　ウ　小括
　したがって、本願発明１は、当業者であっても、引用発明１ないし５に基づいて当業者が容易に発明できたものとはいえない。
２．引用発明５との対比・判断
（１）対比
　本願発明１を、引用発明５と比較する。
　ア　引用発明５の「内視鏡２」は、本願発明１の「被検体内に挿入される内視鏡」に相当する。
　イ　引用発明５の「内視鏡２の基端」は、本願発明１の「被検体内に挿入される内視鏡の接眼部」に相当する。
　ウ　引用発明５の「内視鏡２にて集光された被写体像」を撮影する「撮像部９２を構成する撮像素子」は、本願発明１の「内視鏡にて取り込まれた当該被検体内部の被写体像を撮像する撮像素子」に相当する。
　エ　引用発明５の「カメラヘッド９」は、「内視鏡２の基端に着脱自在に接続され、制御装置５による制御の下、内視鏡２にて集光された被写体像を撮像部９２を構成する撮像素子で撮像し、当該撮像による撮像信号を出力」するものであるから、本願発明１の「被検体内に挿入される内視鏡の接眼部に着脱自在に接続され、当該内視鏡にて取り込まれた当該被検体内部の被写体像を撮像する撮像素子を有し、当該撮像素子による撮像で得られた画像信号を出力する撮像装置」に相当する。
　オ　引用発明５の「カメラヘッド９から伝送ケーブル８を経由して入力された撮像信号を処理し、表示装置４へ画像信号を出力する」「制御装置５」は、本願発明１の「撮像装置」からの「画像信号を処理して表示用の映像信号を生成する制御装置」に相当する。
　カ　引用発明５の「カメラヘッド９から」「撮像信号」を「制御装置５」に伝える「伝送ケーブル８」は、本願発明１の「撮像装置から」「制御装置に」「画像信号を伝送する信号伝送路」に相当する。
　すると、本願発明１と、引用発明５とは、次の点で一致する。
「被検体内に挿入される内視鏡の接眼部に着脱自在に接続され、当該内視鏡にて取り込まれた当該被検体内部の被写体像を撮像する撮像素子を有し、当該撮像素子による撮像で得られた画像信号を出力する撮像装置と、
　前記画像信号を処理して表示用の映像信号を生成する制御装置と、
　前記撮像装置から前記制御装置に前記画像信号を伝送する信号伝送路とを備えた、
内視鏡装置。」
　一方で、両者は、次の点で相違する。
＜相違点３＞
　撮像装置が、本願発明１では「前記撮像素子における全画素領域のうち、当該全画素領域よりも小さく、前記被写体像全体を含む指定画素領域における各画素の画素信号を前記画像信号として出力」するものであるのに対し、引用発明５は上記構成を備えていない点。
＜相違点４＞
　制御装置が、本願発明１では、
「前記画像信号に基づく撮像画像における画素毎の輝度信号に基づいて、当該撮像画像に含まれる前記被写体像と当該被写体像以外のマスク領域との境界点を検出するマスクエッジ検出処理を実行するエッジ検出部と、
　前記撮像装置の動作を制御する撮像制御部とを備え、
　前記撮像制御部は、
　前記撮像画像における前記エッジ検出部にて検出された境界点で囲まれる被写体像の領域に基づいて、前記指定画素領域を設定し、当該指定画素領域における各画素の画素信号を前記画像信号として前記撮像装置から出力させる」
ものであるのに対し、引用発明５は上記構成を備えていない点。
（２）判断
　上記「（１）」で記載した各相違点のうち、相違点４は、上記「１．（２）イ」で検討した相違点２であり、上記「１．（２）イ」で検討したのと同様の理由により、上記相違点４に係る発明特定事項を引用発明１ないし５から当業者が導き出すことはできない。
　したがって、相違点３について検討するまでもなく、本願発明１は、当業者であっても、引用発明１ないし５に基づいて当業者が容易に発明できたものとはいえない。
３．本願発明２ないし５について
　本願発明２ないし５も、本願発明１の上記相違点２及び４に係る発明特定事項を備えるものであるから、本願発明１と同じ理由により、当業者であっても、引用発明１ないし５に基づいて当業者が容易に発明できたものとはいえない。
第６　原査定について
　上記「第５」で検討したように、本願発明１ないし５は、引用発明１ないし５から当業者が容易に発明できたものとはいえないから、拒絶査定において引用された引用文献１ないし４に基づいて当業者が容易に発明できたものとはいえない。
　したがって、原査定を維持することはできない。
第７　むすび
　以上のとおり、原査定の理由によっては、本願を拒絶することはできない。
　また、他に本願を拒絶すべき理由を発見しない。
　よって、結論のとおり審決する。